(57)【要約】【課題】人工透析最中に地震・家事・津波等の遭遇に緊急事態発生の為、一時透析を取りやめ、患者が２本の透析チューブを外して、安全な場所に避難する事を提供する。【解決手段】箱型ケースの固定位置に２本の血流チューブをセットし、緊急が発生した時にケース内部に装備している各部を操作し、支持棒ボタンＮｏ．１とＮｏ．２を押し２個のクリップでー本のチューブの血流を止め次に、２本目のチューブの血流をとめ、その上下のクリップの中間点をカッター操作棒操作棒Ｎｏ．３を押しカッター受け止めピンよりカッターを外しスプリングコイルの伸縮力でチューブをカッターで切断後、ケース依り取り出して、そのまま安全場所まで逃げ、その場所にて看護士に透析針を抜き処置をして貰う事を目的とする。【選択図】図１
2013255767.tif 000002
【特許請求の範囲】
【請求項１】
全体を箱型ケースの中に各装置を組み入れ、このケースに人工透析（血液透析）の静脈血管より取り入れ及びダイアライザーに依り洗浄された血液を人体に  戻す為に２本の針を刺して治療を行い、この時に２本の血液チューブを使用し、このケースの固定位置に２本のチュープをセットして、緊急が発生した時にケース内部に位置している各部を操作する５本の支柱とそれに付属している備品で２本のチューブの上下に２個のクリップを固定しＮｏ．１の指示棒の頭部のボタンを押す事に依り、ピン仕掛けでクリップが外れて上下のチューブを挟み、血流を止めるその次にＮｏ．２の指示棒ボタンを押し２本のチューブを止めると同時にＮｏ．３の支柱棒ボタンを押しスプリングコイルで固定してあるカッター部のピンを外し、スプリングコイルの伸縮力に依り２本のチューブを切断し、血流を止めているチューブをケース依り取り出して、災害依り安全な場所に一早く逃れることが出来る人工透析緊急脱出装置。
【発明の詳細な説明】
【技術分野】
【０００１】    本発明は人工透析（血液透析）中に地震による家屋の破壊及び倒壊・津波・火災等の緊急避難を必要とする時に、透析患者自身で透析針を自身で抜く事が出来ず、看護士を待って処置をして貰います。その時に患者数が多く、短時間の処置を要求されますが、患者全員の処置は不可能と思われますので、この開発した装置は、腕より少し離れたの位置の透析チューブにセットし、災害発生時に直ぐに装置のボタンを順番（Ｎｏ．１／Ｎｏ．２／Ｎｏ．３）に押して、このチューブをバネ仕掛けのカッターで切断して、自身で治療ベッドから離れ安全な場所に避難が出来、避難場所で看護士に依り処置をして貰う為の透析緊急脱出装置に関するものである。
【背景技術】
【０００２】  現在の人工透析は、透析患者の透析時間完了時に腕より２本の透析針を抜き、同時に直ぐに止血の作業を行います。一人当たりの処置時間は約４−５分が必要となっております。
【先行技術文献】
【０００３】
【特許文献１】
【発明の概要】
【発明が解決しようとする課題】
【０００４】  現在の人工透析（血液透析）の最中に、地震・津波・火災の発生等の不慮の事故で透析患者は透析針を刺したままの状態で、透析機械より緊急に脱出が出来る状態では無いので、透析患者の年齢にも影響が有りますが、比較的元気な患者は、この緊急透析脱出装置を自身で操作を行い、ベッド依り離れ安全な場所に避難をし、透析患者の最終処置を安全な場所で行う事になり、又高齢に依り自身で緊急透析脱出装置が操作できない患者は、看護士に依りこの装置で血流を遮断し、直ぐベッド依り脱出し安全な場所に移動し、最終処置を行う事で、透析患者の生命を守る事です。
本発明は、以上の問題点を解決するものである。
【課題を解決するための手段】
【０００５】箱型ケースの固定位置に２本の血流チューブをセットし、緊急が発生した時にケース内部に装備している各部を操作し、支持棒ボタンＮｏ．１とＮｏ．２を押し２個のクリップで血流を止め次に、２本目のチューブの血流を止めてその上下の中間点をカッター操作棒ボタンＮｏ．３を押し、カッター受け止めピ  ンよりカッターを外しスプリングコイルの伸縮力でチューブをカッターで切断後、ケースより取りだして、そのまま安全場所まで逃げ、その場所にて看護士に透析針を抜き処置をして貰う事を目的をする。
【発明の効果】
【０００６】現在の人工透析病院では、地震・津波・火災等の緊急時の脱出装置などの方法は無く、透析患者は緊急が発生した時を考えると大変不安に思っており、この装置に依り一層の安全を増す為にこの人工透析緊急脱出装置が役立つ事を目的とします。
【図面の簡単な説明】
【０００７】
【図１】  本発明の全体の斜視図
【図２】  本発明の使用状態を示す斜視図
【図３】  本発明の使用状態を示す斜視図
【図４】  本発明の使用状態を示す斜視図
【図５】  本発明の使用状態を示す斜視図
【図６】  本発明の使用状態を示す斜視図
【図７】  本発明の使用状態を示す斜視図
【図８】  本発明の使用状態を示す斜視図
【図９】  本発明の使用状態を示す斜視図
【図１０】  本発明の使用状態を示す斜視図
【図１１】  本発明の使用状態を示す斜視図
【発明を実施するための形態】
【０００８】以下、本発明の実施の形態を説明する。
（イ）ピン固定支持棒（２４）にピン固定板（８）を取り付け、その板の上にピン支持棒（３）のクリップ板（５）を置くと共にピン固定板（８）に取り付けたピン（７）をクリップ板（５）の穴に通し、クリップ（６）を開けて２個のピン（７）に固定する。
（ロ）ピン支持棒（１）とカッター操作棒（１１）を連結棒（９）で固定する。
（ハ）カッター操作棒（１１）にカッター受け止め固定板（２２）を取りつけカッター受け止めピン（１４）を固定する。
（ニ）カッターガイド（１３）にカッター（１５）をセットし、スプリングコイル（１７）の先端をカッター（５）に取り付け、同時にカッター（１５）をカッター受け止めピン（１４）にセットする。
（ホ）カッター（１５）に取り付けたカッターコントロール（２３）でスプリングコイル（１７）をカッター受け止めピン（１４）の固定位置まで伸ばし、セットする。
本発明は以上の様な構造であるが、各図面について更に説明する。
図１  箱型の内部全体図
図２  ピン固定支持棒（２４）に固定支持棒回転防止止め（１８）を取り付け固定位置にセットし、ピン固定支持棒（２４）を取り付けて、ピン固定板（８）に  ピン（７）を取り付けると共に、同時にピン支持棒（３）を固定して、クリップ板支持棒（４）とクリップ板（５）を取り付けこのクリップ板（５）の上部にクリップ（６）を開いて左右のピン（７）の両外側にクリップ（６）を開いた状態でセットする。
ピン固定支持棒ボタン（１）を押すとピン固定支持棒（２４）が下に下がり、固定されているピン固定板（８）が同時にさがり、その時にピン固定板（８）に接続されているピン（７）も同時に下がる事により、クリップ板（５）の上にセットされているクリップ（６）がピン（７）から外れ、クリップ（６）で固定位置にセットされているチューブ（１９）を挟みチューブ内の血流を止める事が出来ると共に、ピン固定支持棒（２４）とピン支持棒（３）の上下に２セットの同じ装置が付いており、同時に上下のクリップ（６）がチューブ（１９）を挟み、血流を止めることが出来る。
図３  図２の説明を図３に固定支持棒（２４）とピン支持棒（３）の同時操作に依るピン（７）の位置とクリップ（６）の位置を示した図である。
図４  さらに図３を詳しく書いたクリップ（５）のセット位置とピン（７）及びチューブ（１９）のセット位置を示したものである。
図５  固定されたピン（７）を横から見た図である。この時は、チューブ（１９）を挟んでいない状態である。
図６  固定されたピン（７）を真上依り見た図でクリップ（６）がチューブ（１９）を完全に挟み込み、血流を止めている状態である。
図７  ピン支持棒（３）とカッター操作棒（１１）を連結棒（９）でつなげ、カッター操作棒（１１）にカッター受け止め板固定板（２２）を固定しカッター（１５）を使用する為のカッターコントロール移動窓口（２６）である。
図８  カッター操作棒（１１）にカッター受け止め固定板（２２）を取り付け、その上にカッター受け止めピン（１４）を取り付け固定すると共に、このカッター受け止めピン（１４）にカッター（１５）をセットし、この時までにカッター（１５）にカッターコントロール棒（２０）を固定ボルト（２８）で固定して、カッターコントロール（２３）を取り付けを完了しておく事とカッター（１５）にスプリングコイル（１７）の先端をスプリングコイル留め金（２１）でセットしておく。
図９  箱型のケースの横側にクリップ脱着窓口（２６）を加工し、クリップ（６）の取り付けにこの窓口よりクリップ（６）を差し込み、ピン固定板（８）のピン（７）にセットする事と、カッターコントロール移動窓口（２５）を加工し、スプリングコイル（１７）の伸縮の際にカッターコントロール（２３）を使用する窓口である。この際に、クリップ（６）の取り付け時に、クリップ（６）を挟み式な道具を使用して、開いた状態を保ちながら、クリップ脱着窓口（２６）から差し込みセットする。
図１０  カッターガイド（１３）は血流のチューブ（１９）をカッター（１６）で切断する目的で、問題無く円滑に進める為であり、構造上カッターガイド（１３）に２本のチューブ差し込み口（１６）を加工すると、同時にスプリングコイル軌道（２７）を設けてスプリングコイル留め金（２１）の突起部を円
図１１  箱型本体横に安全カバー（２９）を取り付け、このカバーに補助カッターガイド（３０）を取り付ける事に依り、カッターガイド（１３）のチューブ差し込み口（１６）におけるカッターガイド（１３）の空域を補助すると共に、安全カバー（２９）にカッターコントロール移動溝を加工し、スプリングコイル（１７）に取り付けたカッターコントロール（２３）の瞬間的なチューブ（１９）切断速度に依る事故から操作手を守る事が出来、この安全カバー（２９）を安全カバー開閉コントロール（３４）で安全カバー（２９）を閉めて、止ピン（３５）を安全カバー固定穴（３３）にセットする。
図１２  カッター受け止めピン（１４）に２段式の溝を加工し、順番に操作指定した各ボタンを誤操作した場合に、カッター（１５）の使用で一層の安全の為に、カッター受け止めピンの沈みを２回分にし、最初の沈みはピン固定支持棒（２４）のボタン操作に依り、カッター操作棒（１１）が１回分下がり、カッター（１５）が１段目から２段目に移動し、カッター操作ボタン（１０）を押すと２段目で止まっていたカッター（１５）がカッター受け止めピン（１４）から外れて、カッター（１５）が移動を開始して、チューブ（１９）を切断する。
【符号の説明】
【０００９】１  ピン固定支持棒ボタン    ２  スプリング    ３  ピン支持棒    ４  クリップ板支持棒    ５  クリップ板    ６  クリップ    ７  ピン    ８  ピン固定板    ９  連結棒    １０  カッター操作棒ボタン    １１  カッター操作棒    １２  カッターガイド固定板    １３  カッターガイド    １４  カッター受け止めピン    １５  カッター    １６  チューブ差し込み口    １７  スプリングコイル    １８  固定支持棒回転防止止    １９  チューブ    ２０  カッターコントロール棒    ２１  スプリングコイル留め金    ２２  カッター受け止め固定板    ２３  カッターコントロール    ２４  ピン固定支持棒    ２５  カッターコントロール移動窓口    ２６  クリップ移動窓口    ２７  スプリング軌道    ２８  固定ボルト    ２９  安全カバー    ３０  補助カッターガイド    ３１  カッターコントロール移動溝    ３２  安全カバー開閉ピン    ３３  安全カバー固定穴    ３４  安全カバー開閉コントロール    ３５  止ピン    ３６  １段目    ３７  ２段目
【図１】
2013255767.tif 000003
【図２】
2013255767.tif 000004
【図３】
2013255767.tif 000005
【図４】
2013255767.tif 000006
【図５】
2013255767.tif 000007
【図６】
2013255767.tif 000008
【図７】
2013255767.tif 000009
【図８】
2013255767.tif 000010
【図９】
2013255767.tif 000011
【図１０】
2013255767.tif 000012
【図１１】
2013255767.tif 000013
【図１２】
2013255767.tif 000014
【手続補正書】
【提出日】平成24年7月25日(2012.7.25)
【手続補正１】
【補正対象書類名】明細書
【補正対象項目名】０００７
【補正方法】変更
【補正の内容】
【０００７】
【図１】  本発明の全体の斜視図
【図２】  本発明の使用状態を示す斜視図
【図３】  本発明の使用状態を示す斜視図
【図４】  本発明の使用状態を示す斜視図
【図５】  本発明の使用状態を示す斜視図
【図６】  本発明の使用状態を示す斜視図
【図７】  本発明の使用状態を示す斜視図
【図８】  本発明の使用状態を示す斜視図
【図９】  本発明の使用状態を示す斜視図
【図１０】  本発明の使用状態を示す斜視図
【図１１】  本発明の使用状態を示す斜視図
【図１２】  本発明の使用状態を示す斜視図